(57)【特許請求の範囲】
【請求項１】
硬質木毛セメント板などのビス保持力の弱い硬質板材料から成り、Ｃ型鋼などから成る母屋（８）（９）上に支承される野地板において、表面に前記母屋（８）（９）に対して対角線上に、細長板状の金属垂木（１４）を複数取り付け、該金属垂木（１４）を前記母屋（８）（９）にネジ止めし、表面に、母屋に固定された前記金属垂木（１４）により三角形の補強構造を形成したことを特徴とする野地板。
【請求項２】
前記野地板の表面に、前記母屋（８）（９）に対して対角線上に、溝（１２）を複数並列に形成し、該溝（１２）に前記金属垂木（１４）を、前記表面に対して、該金属垂木（１４）の表面が同一平面となるように嵌合配置したことを特徴とする請求項１に記載の野地板。
【請求項３】
複数並列配置されたＣ型鋼などから成る母屋（８）（９）と、表面に前記母屋（８）（９）に対して対角線上に複数の細長板状の金属垂木（１４）が取り付けられ前記母屋（８）（９）上に複数、同一平面上に支持された野地板（１０）と、前記野地板（１０）上に複数互いに係合して並列に接合配置された金属板から成る葺上材（１８）とを備え、前記金属垂木（１４）を前記野地板（１０）を介して前記母屋（８）（９）にネジ止めし、前記野地板（１０）の表面に、母屋（８）（９）に固定された前記金属垂木（１４）により三角形の補強構造を形成し、前記各葺上材（１８）を吊子（２２）を介して前記金属垂木（１４）に係止したことを特徴とする屋根あるいは外壁などとして用いられる外囲体。
【発明の詳細な説明】
【０００１】
【発明の属する技術分野】
本発明は、屋根や外壁などの外囲体及び、該外囲体を構築するために使用される野地板に関する。
【０００２】
【従来の技術】
従来、屋根や外壁などの外囲体を構築する場合、図５に示すように、並列に配置した、Ｃ型鋼から成る横母屋（２）の上に木毛セメント板などのビス保持力の弱い材料から構成される野地板（４）を、支持させ、この野地板（４）の上に、金属板から成る葺上材を複数、接合配置することが行われている。
野地板（４）の上に葺上材を配置するには、葺上材を野地板（４）に固定するための吊子を野地板（４）の所定位置にビス止め固定する必要がある。野地板（４）はビス保持力が弱いので、従来は、野地板（４）を縦に切断し、この切断した野地板（４）の接合の継ぎ目に横母屋（２）と直交する方向に型鋼（６）を配置し、該型鋼（６）を横母屋（２）にねじ止め固定し、この型鋼（６）に、吊子をビス止めする構成が採用されている。
【０００３】
【発明が解決しようとする課題】
上記横母屋に対して直角な型鋼を有し、該横母屋に支持される構成の野地板を、縦母屋に使用しようとすると、型鋼が縦母屋と平行となってしまい、型鋼を縦母屋にねじ止めすることができないという問題点があった。また、野地板を切断して、その切断部に型鋼を配置する作業は手間がかかるという問題点がある。型鋼を予め野地板に固定しておけば、現場での上記作業は省くことができるが、この場合、型鋼は、横と縦の両方の母屋に対応できないという問題点が生じる。
本発明は、上記問題点を解決することを目的とするものである。
【０００４】
【課題を解決するための手段】
上記目的を達成するため、本発明は、硬質木毛セメント板などのビス保持力の弱い硬質板材料から成り、Ｃ型鋼などから成る母屋（８）（９）上に支承される野地板において、表面に前記母屋（８）（９）に対して対角線上に、細長板状の金属垂木（１４）を複数取り付け、該金属垂木（１４）を前記母屋（８）（９）にネジ止めし、表面に、母屋（８）（９）に固定された前記金属垂木（１４）により三角形の補強構造を形成したことを特徴とするものである。
また、上記問題点を解決するため、本発明は、前記野地板の表面に、前記母屋（８）（９）に対して対角線上に、溝（１２）を複数並列に形成し、該溝（１２）に前記金属垂木（１４）を、前記表面に対して、該金属垂木（１４）の表面が同一平面となるように嵌合配置したことを特徴とするものである。
また、上記問題点を解決するため、本発明は、複数並列配置されたＣ型鋼などから成る母屋（８）（９）と、表面に前記母屋（８）（９）に対して対角線上に複数の細長板状の金属垂木（１４）が取り付けられ前記母屋（８）（９）上に複数、同一平面上に支持された野地板（１０）と、前記野地板（１０）上に複数互いに係合して並列に接合配置された金属板から成る葺上材（１８）とを備え、前記金属垂木（１４）を前記野地板（１０）を介して前記母屋（８）（９）にネジ止めし、前記野地板（１０）の表面に、母屋（８）（９）に固定された前記金属垂木（１４）により三角形の補強構造を形成し、前記各葺上材（１８）を吊子（２２）を介して前記金属垂木（１４）に係止したことを特徴とするものである。
【０００５】
【発明の実施の形態】
以下に本発明の実施の形態を、添付した図面を参照して詳細に説明する。
図１において、（８）はＣ型鋼から成る縦母屋であり、横方向に所定間隔を在して、複数、並列に配設されている。ここで横方向とは、屋根の場合には、雨の流れる方向Ａに対して、直角な方向であり、外壁の場合には、地面に対して水平な方向である。
【０００６】
縦母屋（８）は、各々その長手方向が横方向に対して直角に配置されている。前記縦母屋（８）の上面には、複数の野地板（１０）が同一平面状に載置されている。前記野地板（１０）は、硬質木毛セメント板、その他、ビス保持力が弱い硬質の板材料から構成されている。
【０００７】
前記野地板（１０）の上面には、縦母屋（８）に対して対角線を形成する方向に断面コ字状の嵌合溝（１２）が、互いに所定間隔を在して平行に形成されている。一対の野地板（１０）（１０）の継目部分には２本の縦母屋（８）が隣接配置され、この継目部分を支持している。
【０００８】
野地板（１０）の嵌合溝（１２）には、断面コ字状の長尺状の金属板から成る金属垂木（１４）が嵌合配置され、金属垂木（１４）の上面は、野地板（１０）の上面と同一平面を形成している。前記金属垂木（１４）は、その適所が、止めねじによって、縦母屋（８）に固定されている。
【０００９】
（１８）は、長尺状の金属板から成る葺上材であり、複数、各々の長手方向が横方向に向いた状態で、並列に、防水シート（２０）を介して、野地板（１０）上に配置されている。各葺上材（１８）の継目部分には、吊子（２２）が配置され、該吊子（２２）は、ビス（２４）によって、対応する金属垂木（１４）に固定されている。各葺上材（１８）の一側部の係合部（１８ａ）は、図（２）に示すように、吊子（２２）と係合し、他側部の係合部（１８ｂ）は、隣接する葺上材（１８）の一側部の係合部（１８ａ）と係合し、全体として屋根を構成している。
【００１０】
上記した構成において、金属垂木（１４）は、各葺上材（１８）の長手方向に対して角度を有しているので、吊子（２２）を、葺上材（１８）の係合部（１８ａ）（１８ｂ）と係合可能な位置において、金属垂木（１４）にビス止め固定することができ、しかも、金属垂木（１４）を、縦母屋（８）にしっかりとねじ（１６）止めすることができる。
【００１１】
上記実施形態は、縦母屋（８）上に野地板（１０）を配置したものであるが、図１４に示すように、本発明は、Ｃ型鋼などの横母屋（９）上に野地板（１０）を、配置した構成とすることもできる。野地板（１０）に対する金属垂木（１４）の取付構造及び葺上材（１８）どうしの、吊子（２２）を介した接続構造は、図１に示す実施形態と同一であり、対応する構造部分は同一の符号を付してある。
【００１２】
図１及び図４に示す葺上材（１８）及びその下地構造は、屋根以外に外壁などの外囲体として使用することができる。
また、金属垂木（１４）は、野地板（１０）の表面に、三角形の補強構造を形成するので、外囲体の下地構造が強固に構築される。
【００１３】
【発明の効果】
本発明は上述の如く、野地板に、母屋に対して対角線上に細長上の金属垂木を設置したので、金属垂木を縦と横の両方の母屋に固定することができ、野地板上に吊子を介して葺上材をしっかりと設置することができる。また、金属垂木によって野地板表面に三角形の補強構造が形成されるため、野地板を強固に構成することができる。
【図面の簡単な説明】
【図１】本発明の一部を切り欠いた外観図である。
【図２】屋根の軒先断面図である。
【図３】本発明の要部の断面図である。
【図４】本発明の他の実施形態を示す外観図である。
【図５】従来技術の外観説明図である。
【符号の説明】
２  横母屋
４  野地板
６  型鋼
８  縦母屋
９  横母屋
１０  野地板
１２  嵌合溝
１４  金属垂木
１６  止めねじ
１８  葺上材
２０  防水シート
２２  吊子
２４  ビス
【図１】
0003919336.tif 000002
【図２】
0003919336.tif 000003
【図３】
0003919336.tif 000004
【図４】
0003919336.tif 000005
【図５】
0003919336.tif 000006